(57)【特許請求の範囲】
【請求項１】
第１の部分と第２の部分で構成されている光学読取情報を有する、光学読取媒体であって、
前記第１の部分及び第２の部分の少なくともいずれかが並置混色部分であり、
前記第１の部分を構成する単色又は複数の色の組合せと前記第２の部分を構成する単色又は複数の色の組合せとが互いに異なっており、かつ
前記第１の部分及び第２の部分のＪＩＳ  Ｚ  ８７８１に準拠するＬ＊ａ＊ｂ＊表色系における色差ΔＥ＊ａｂの値が３．０以下であり、
前記光学読取情報が識別コードであり、かつ
前記並置混色部分を構成する各色の配色に規則性があり、前記識別コードには、前記各色の配色の規則性を示す検証データが記録されている、
光学読取媒体。
【請求項２】
第１の部分と第２の部分で構成されている光学読取情報を有する、光学読取媒体であって、
前記第１の部分及び第２の部分の少なくともいずれかが並置混色部分であり、
前記第１の部分を構成する単色又は複数の色の組合せと前記第２の部分を構成する単色又は複数の色の組合せとが互いに異なっており、かつ
前記第１の部分及び第２の部分のＪＩＳ  Ｚ  ８７８１に準拠するＬ＊ａ＊ｂ＊表色系における色差ΔＥ＊ａｂの値が３．０以下であり、
前記光学読取情報が、１次元コード又は２次元コードから選択される識別コードである、
光学読取媒体。
【請求項３】
前記並置混色部分を構成する各色の配色に規則性があり、前記識別コードには、前記各色の配色の規則性を示す検証データが記録されている、請求項２に記載の光学読取媒体。
【請求項４】
前記光学読取情報が、バーコード、ＱＲコード、ＰＤＦ４１７、データマトリックス、ＣＰコード、ＭａｘｉＣｏｄｅからなる群より選択される、請求項１〜３のいずれか一項に記載の光学読取媒体。
【請求項５】
前記第１の部分及び第２の部分が、それぞれ単色部分及び並置混色部分である、請求項１〜４のいずれか一項に記載の光学読取媒体。
【請求項６】
前記単色部分がブラックで構成されており、かつ前記並置混色部分がシアン、イエロー及びマゼンタの３色を少なくとも含む並置混色で構成されている、請求項５に記載の光学読取媒体。
【請求項７】
前記光学読取情報が更に第３の部分を含み、
前記第１の部分、前記第２の部分、及び前記第３の部分の少なくともいずれかが並置混色部分であり、
前記第１の部分を構成する単色又は複数の色の組合せと、前記第２の部分を構成する単色又は複数の色の組合せと、前記第３の部分を構成する単色又は複数の色の組合せとが互いに異なっており、
前記第１の部分、前記第２の部分、及び前記第３の部分のうちの少なくとも２つのＪＩＳ  Ｚ  ８７８１に準拠するＬ＊ａ＊ｂ＊表色系における色差ΔＥ＊ａｂの値が３．０以下である、
請求項１〜６のいずれか一項に記載の光学読取媒体。
【請求項８】
前記第１及び第２の部分の上に保護層を更に有する、請求項１〜７のいずれか一項に記載の光学読取媒体。
【請求項９】
前記並置混色部分が、少なくとも３色の単位ドットから成り、かつ前記単位ドットが３００ｄｐｉ以上の密度で並置して集合している、請求項１〜８のいずれか一項に記載の光学読取媒体。
【発明の詳細な説明】
【技術分野】
【０００１】
本発明は、光学読取媒体に関する。
【背景技術】
【０００２】
光学読取媒体としては、ＱＲコード（登録商標）等の２次元コードが付された光学読取媒体が広く知られている。このＱＲコードが付された光学読取媒体は、ＱＲコードを、紙等の基材上に、トナー印字、サーマル印字、インキによる印刷等の方法により印刷することによって形成されている（例えば、下記の特許文献１を参照）。
【０００３】
ところが、このような方法で形成されたＱＲコードは、コピー機で複写することで容易に複製することができ、このため、正規のＱＲコードが付された光学読取媒体と同じものを簡単に複製することができるという問題があった。そのため、このようなＱＲコードは、電車の乗車券等の複製が許容されない分野では利用が難しかった。
【０００４】
その対策として、特許文献２では、２次元コードをサーマルプリントされるサーマル紙上に２次元コードを隠蔽する黒い隠蔽ベタ層を設け、さらにその上にトップコート層（保護層）を設けている。２次元コードを含むこの光学読取媒体をコピー機で複製しようとすると、２次元コードはコピーされず、隠蔽ベタ層がコピーされて真っ黒のベタが印刷される。また、隠蔽ベタ層は、赤外光を透過する混色系の黒インキで形成しているためリーダーで用いる赤外光に対しては透過し、リーダーは隠蔽ベタ層が存在していてもサーマルプリントで形成された２次元コードを読み取ることができるとしている。
【０００５】
また、特許文献３では、２次元コードを形成されるサーマル紙上に２次元コードを隠蔽する黒い隠蔽ベタ層を設け、さらにその上に、黒色の第１のカモフラージュ層と透明な第２のカモフラージュ層とから構成されたカモフラージュ層を設けている。この光学読取媒体もコピー機による複製はできず、また隠蔽ベタ層及び第１のカモフラージュ層は、混色系の黒インキで形成しているため、リーダーで用いる赤外光に対しては透過する。
【先行技術文献】
【特許文献】
【０００６】
【特許文献１】特開２００１−３０７１５４号公報
【特許文献２】特開２０１３−１０７７号公報
【特許文献３】特開２０１３−１０７８号公報
【発明の概要】
【発明が解決しようとする課題】
【０００７】
特許文献２及び特許文献３では、隠蔽ベタ層の上から２次元コードをサーマルプリントすると、２次元コードがプリントされた箇所の隠蔽ベタ層の光沢が変化することで２次元コードが目視できてしまうという課題があり、これらの文献では、それぞれその課題を解決する手段を記載している。
【０００８】
具体的には特許文献２に記載の光学読取媒体では、隠蔽ベタ層の上に光沢の変化を低くするためのトップコート層を与えることで、その課題を解決しようとしている。
【０００９】
また、特許文献３に記載の光学読取媒体でも、隠蔽ベタ層の上に光沢の変化をカモフラージュするためのカモフラージュ層を設けることで、上記課題を解決しようとしている。
【００１０】
しかし、特許文献２及び特許文献３に記載の光学読取媒体では、特殊なサーマル紙と赤外非吸収性の黒インキを用いて記録媒体を作成しているため、通常のプリンターでは製造することができず、かつ情報の読取時に近赤外線の光源が必要になるなどコストが掛かるものであった。
【００１１】
そこで本発明では、一般的なコピー機を用いても識別コード等の情報を偽造することが困難であり、通常のプリンターで製造でき、かつ／又は近赤外線の光源を必要とすることなく情報を読み取ることができる光学読取媒体を提供することを目的とする。
【課題を解決するための手段】
【００１２】
本発明者らは、鋭意検討したところ、以下の手段により上記課題を解決できることを見出して、本発明を完成させた。すなわち、本発明は、下記の通りである：
〈１〉  第１の部分と第２の部分で構成されている光学読取情報を有する、光学読取媒体であって、
上記第１の部分及び第２の部分の少なくともいずれかが並置混色部分であり、
上記第１の部分を構成する単色又は複数の色の組合せと、上記第２の部分を構成する単色又は複数の色の組合せとが互いに異なっており、かつ
上記第１の部分及び第２の部分のＪＩＳ  Ｚ  ８７８１に準拠するＬ＊ａ＊ｂ＊表色系における色差ΔＥ＊ａｂの値が３．０以下である、
光学読取媒体。
〈２〉  上記第１の部分及び第２の部分が、それぞれ単色部分及び並置混色部分である、上記〈１〉項に記載の光学読取媒体。
〈３〉  上記単色部分がブラックで構成されており、かつ上記並置混色部分がシアン、イエロー及びマゼンタの３色を少なくとも含む並置混色で構成されている、上記〈１〉又は〈２〉項に記載の光学読取媒体。
〈４〉  上記光学読取情報が更に第３の部分を含み、
上記第１の部分、上記第２の部分、及び上記第３の部分の少なくともいずれかが並置混色部分であり、
上記第１の部分を構成する単色又は複数の色の組合せと、上記第２の部分を構成する単色又は複数の色の組合せと、上記第３の部分を構成する単色又は複数の色の組合せとが互いに異なっており、かつ
上記第１の部分、上記第２の部分、及び上記第３の部分のうちの少なくとも２つのＪＩＳ  Ｚ  ８７８１に準拠するＬ＊ａ＊ｂ＊表色系における色差ΔＥ＊ａｂの値が３．０以下である、
上記〈１〉〜〈３〉項のいずれか一項に記載の光学読取媒体。
〈５〉  上記光学読取情報が識別コードである、上記〈１〉〜〈４〉項のいずれか一項に記載の光学読取媒体。
〈６〉  上記並置混色部分を構成する各色の配色に規則性があり、上記識別コードには、上記各色の配色の規則性を示す検証データが記録されている、上記〈５〉項に記載の光学読取媒体。
〈７〉  上記色パターンの上に保護層を更に有する、上記〈１〉〜〈６〉項のいずれか一項に記載の光学読取媒体。
〈８〉  上記並置混色部分が、少なくとも３色の単位ドットから成り、かつ上記単位ドットが３００ｄｐｉ以上の密度で並置して集合している、上記〈１〉〜〈７〉項のいずれか一項に記載の光学読取媒体。
【発明の効果】
【００１３】
本発明によれば、一般的なコピー機を用いても識別コード等の情報を偽造することが困難であり、通常のプリンターで製造でき、かつ／又は近赤外線の光源を必要とすることなく情報を読み取ることができる、光学読取媒体を提供することができる。
【図面の簡単な説明】
【００１４】
【図１】図１は、本発明の光学読取媒体の光学読取情報の模式図である。
【図２】図２（ａ）は、本発明の第１の実施態様の光学読取媒体の側面断面図を示しており、図２（ｂ）は、本発明の第２の実施態様の光学読取媒体の側面断面図を示しており、図２（ｃ）は、本発明の第３の実施態様の光学読取媒体の側面断面図を示しており、図２（ｄ）は、本発明の第４の実施態様の光学読取媒体の側面断面図を示している。
【図３】図３は、本発明の光学読取媒体の光学顕微鏡画像である。
【図４】図４は、図２を拡大した光学顕微鏡画像である。
【図５】図５は、本発明の光学読取媒体をスキャナーによりスキャンして家庭用プリンターで出力したものの光学顕微鏡画像である。
【図６】図６は、本発明の光学読取媒体をカラーコピー機によりコピーして出力したものの光学顕微鏡画像である。
【発明を実施するための形態】
【００１５】
《光学読取媒体》
本発明の光学読取媒体は、第１の部分と第２の部分で構成される光学読取情報を有する。
【００１６】
この第１の部分及び第２の部分は、少なくともいずれかが並置混色部分である。また、第１の部分を構成する単色又は複数の色の組合せと第２の部分を構成する単色又は複数の色の組合せとが互いに異なっている。
【００１７】
例えば、本発明の光学読取媒体は、図１に示すように、単色部分である第１の部分（１０）と、並置混色部分である第２の部分（２０）で構成される光学読取情報（５０）を有することができる。なお、この図においては、同一の模様で塗りつぶしている箇所は同一の色を示していること、及び明確さのために第２の部分を構成する複数の色を大きく示してあるが、実際は目視によってはこの複数の色同士を識別することはできないことに留意されたい。
【００１８】
また、例えば、本発明の光学読取媒体（１００）は、図２（ａ）に示すように、基材（３０）、第１の部分（１０）及び第２の部分（２０）で構成される光学読取情報（５０）、並びに随意の保護層（４０）を有することができる。ここで、第１の部分（１０）及び第２の部分（２０）は、基材（３０）上で互いに相補的に形成されている。
【００１９】
また、例えば、本発明の光学読取媒体（１００）は、図２（ｂ）に示すように、第１の部分（１０）を具備している基材（３０）、及び基材（３０）上に第１の部分（１０）と相補的に形成されている第２の部分（２０）を有し、この第１の部分（１０）及び第２の部分（２０）で光学読取情報が構成されていてもよい。
【００２０】
また、例えば、本発明の光学読取媒体（１００）は、図２（ｃ）に示すように、第１の部分（１０）を具備している基材（３０）、及び基材（３０）上に第１の部分（１０）を隠蔽するように形成されている第２の部分（２０）を有し、この第１の部分（１０）及び第２の部分（２０）で光学読取情報が構成されていてもよい。
【００２１】
例えば、本発明の光学読取媒体（１００）は、図２（ｄ）に示すように、第２の部分（２０）を具備している基材（３０）、及び基材（３０）上に第２の部分（２０）を背景として形成されている第１の部分（１０）を有し、この第１の部分（１０）及び第２の部分（２０）で光学読取情報が構成されていてもよい。この場合、第１の部分（１０）と重なる部分には第２の部分（２０）が形成されなくても良い。
【００２２】
以下では、本発明の光学読取媒体の各構成要素について説明する。
【００２３】
〈基材〉
本発明において、基材は、第１の部分及び／又は第２の部分を形成するための基材である。この基材には、予め第１の部分及び／又は第２の部分が形成されていてもよい。
【００２４】
基材に第１の部分及び／又は第２の部分が形成されていない場合、基材の色は、随意の色、例えば白色、赤色、青色等であってもよく、又は無色であってもよい。ただし、基材の色が第１の部分又は第２の部分と同色の場合は、基材の色と第１の部分又は第２の部分に真贋判定機で区別できる程度の輝度差がある必要がある。
【００２５】
基材は、例えば紙類、樹脂等の有機物、金属、セラミック、ステンレス等の無機物で作られている基材であってよい。紙類としては、上質紙、再生紙、サーマル紙、熱転写用コート紙等が挙げられ、また樹脂としてはポリエチレン、ポリプロピレン等のポリオレフィン、ポリエチレンテレフタレート等のポリエステル等が挙げられる。
【００２６】
また、予め第１の部分及び／又は第２の部分が形成されている基材としては、例えば下記の識別コードが縫い込まれている布帛、例えばポリエステル糸製の布ラベル等が挙げられる。
【００２７】
〈光学読取情報〉
本発明において、光学読取情報は、第１の部分と第２の部分で構成されている。
【００２８】
光学読取情報としては、例えば識別コード、文字等が挙げられ、この識別コードとしては、例えば１次元コード及び２次元コードが挙げられる。さらに１次元コードとしては、例えばＣＯＤＥ３９、ＣＯＤＥ１２８、ＪＡＮ、ＩＴＦ等のバーコードが挙げられ、２次元コードとしては、例えばＱＲコード、ＰＤＦ４１７、データマトリックス、ＣＰコード、ＭａｘｉＣｏｄｅ等が挙げられる。
【００２９】
｛第１の部分及び第２の部分｝
第１の部分及び第２の部分は、光学読取情報を構成するものである。特に、本発明においては、第１の部分及び第２の部分は、図２（ａ）及び（ｂ）に示すように、互いに相補的に形成され、図２（ｃ）に示すように、一方がもう一方を隠蔽するように形成され、又は図２（ｄ）に示すように、一方がもう一方の背景に形成されていてよい。
【００３０】
（人間の目による見え方）
第１の部分及び第２の部分のＪＩＳ  Ｚ  ８７８１に準拠するＬ＊ａ＊ｂ＊表色系における色差ΔＥ＊ａｂの値は、３．０以下、２．８以下、又は２．５以下である。これにより、第１の部分及び第２の部分が、人間の目で見たときに略同色であると感じられることとなる。また、この色差ΔＥ＊ａｂの値は、例えば０．０以上、０．２以上、又は０．５以上であることができる。
【００３１】
ここで、ＪＩＳ  Ｚ  ８７８１において、Ｌ＊値は明度を示しており、ａ＊値及びｂ＊値は彩度を示している。
【００３２】
ここで、第１の部分のＬ＊値、ａ＊値及びｂ＊値をそれぞれＬ＊１、ａ＊１及びｂ＊１とし、かつ第２の部分のＬ＊値、ａ＊値及びｂ＊値をそれぞれＬ＊２、ａ＊２及びｂ＊２とすると、第１の部分及び第２の部分の色差ΔＥ＊ａｂの値は、以下の式で表される。
【数１】
0006576081.tif 000002
【００３３】
第１の部分及び第２の部分の少なくともいずれかは並置混色部分であることができる。すなわち、第１の部分及び第２の部分がそれぞれ単色部分及び並置混色部分であってもよく、又は第１の部分及び第２の部分の両方が並置混色部分であってもよい。ここで、並置混色部分は、二色以上の色を細かい点として並べることによって、新しい色を得る混色方法により得られる部分を言うものである。
【００３４】
シアン、イエロー、マゼンタを適切な割合で混色すると人間の目にはブラックに見えることを考慮すると、例えば、第１の部分をブラックの単色部分とし、かつ第２の部分をシアン、イエロー、マゼンタの並置混色部分とすることができる。
【００３５】
ここで、並置混色部分は、少なくとも３色の単位ドットから成ることができ、かつ単位ドットが３００ｄｐｉ以上、４００ｄｐｉ以上、５００ｄｐｉ以上、６００ｄｐｉ以上、又は７００ｄｐｉ以上の密度で並置して集合していることができる。
【００３６】
特に、第１の部分をブラックの単色部分とし、かつ第２の部分をシアン、イエロー、マゼンタの並置混色部分とした場合、シアン、イエロー、マゼンタの３色の単位ドットを、３００ｄｐｉ以上、４００ｄｐｉ以上、５００ｄｐｉ以上、６００ｄｐｉ以上、又は７００ｄｐｉ以上の密度で並置して集合させることにより、第１の部分と第２の部分との間の色差ΔＥ＊ａｂの値が、３．０以下、２．８以下、又は２．５以下であることとなり、その結果第１の部分と第２の部分とが人間の目で見たときに略同色であると感じられることとなる。
【００３７】
（読み取り方）
本発明の光学読取情報は、並置混色部分を構成する色を取り除くフィルター付きリーダーを用いて読み取ることができる。
【００３８】
この並置混色部分を構成する各色の配色は、規則的であってもよく、また不規則であってもよい。
【００３９】
特に、並置混色部分を構成する各色の配色が規則性である場合、識別コードには、各色の配色の規則性を示す検証データを記録することができる。
【００４０】
例えば、シアン（Ｃ）を１、イエロー（Ｙ）を２、マゼンタ（Ｍ）を３とすると、ＣＹＭＣ、ＭＣＹＭ、ＹＭＣＹの組合せは、１２３１、３１２３、２３１２で表現できる。これを、ハッシュ関数の１つである「ＭＤ５」を用いて表現すると、１６進数表記では、ＭＤ５（１２３１３１２３２３１２）＝ｂｂ２６１ｃｃ３８ａｅ２１３７１ｂ３ｃ３９ｅｆａ３７５５６ｂ１ｆと表現することができる。ＣＹＭの組合せのデータを識別コードのデータに含ませることにより、読み取り時に全体のデータからＣＹＭの組合せのデータを除いた形で識別コードを読み取ることができる。このデータを含めた識別コードの偽造を試みた場合、全てのＣＹＭの組合せを正確に模倣する必要が生じることとなり、偽造がより困難になる。
【００４１】
また、例えば、第１の部分をブラックの単色部分とし、第２の部分をシアン、イエロー、マゼンタの３色の並置混色部分として本発明の光学読取情報が構成されている場合、ブラックの部分は赤外光を吸収する一方で、シアン、イエロー、マゼンタの３色は赤外光を透過させる。従って、本発明の光学読取情報は、近赤外線の光源を有するリーダーを用いて読み取ることもできる。
【００４２】
また、本発明の光学読取情報は、並置混色部分を構成する色を取り除く上記のフィルター、及び輝度の閾値によって色を白色又は黒色に変換する二値化処理機構を備えたリーダーによっても読み取ることができる。例えば、第１の部分を緑色の単色部分とし、第２の部分をシアン、イエロー、マゼンタの３色の並置混色部分として光学読取情報を構成した場合、緑色を黒色に変換できるように二値化処理機構の閾値を設定し、フィルターによりシアン、イエロー、マゼンタの３色を取り除いて読み取ることができる。これにより、この光学読取情報を、第１の部分を黒とし、第２の部分を白とした光学読取情報と同様にして読み取ることができる。
【００４３】
（作成方法）
第１の部分及び／又は第２の部分は、随意の方法、例えばインクジェットプリンター、レーザープリンター、サーマルプリンター、熱転写プリンター等、各種印字方式のプリンター等を用いた印刷手段等により形成することができる。
【００４４】
第１の部分及び／又は第２の部分の形成は、独立して行ってもよく、又は同時に行ってもよい。特に、第１の部分をブラックの単色部分とし、第２の部分をシアン、イエロー、及びマゼンタの並置混色部分とする場合、シアン、イエロー、マゼンタ及びブラックの４色で印刷するプリンターにより、第１の部分及び第２の部分を一度に形成することができる。
【００４５】
（カラーコピー機等による複製防止）
本発明の光学読取媒体を、カラーコピー機等で複製した場合、例えば並置混色部分を構成する複数の色同士の境界部分を正確に再現することができないために、並置混色部分を忠実に再現することはできない。具体的には、この並置混色部分をカラーコピー機でスキャンした場合、この複数の色同士の境界部分の色が混色状態となり、この混色状態の色を作るためにブラックを入れて調整される等の現象が生じる。その結果、このスキャンした光学読取媒体を出力し、並置混色部分を構成する色を取り除くフィルター付きリーダーで読み取ったときに、このブラックを入れた部分がブラックと判断されるため、もとの光学読取媒体のブラック部分のみを正確に再現することができない。
【００４６】
｛第３の部分｝
光学読取情報は、更に第３の部分を含むことができる。この場合、第１の部分、第２の部分、及び第３の部分の少なくともいずれかが並置混色部分であることができる。第１の部分を構成する単色又は複数の色の組合せと、第２の部分を構成する単色又は複数の色の組合せと、第３の部分を構成する単色又は複数の色の組合せとが互いに異なっていることができる。
【００４７】
また、第１の部分、第２の部分、及び第３の部分のうちの少なくとも２つのＪＩＳ  Ｚ  ８７８１に準拠するＬ＊ａ＊ｂ＊表色系における色差ΔＥ＊ａｂの値が３．０以下であることができる。
【００４８】
この場合、例えば第１の部分が黒色で、第２の部分がシアン、イエロー、マゼンタの組合せで、第３の部分が緑色で構成された２次元コードを作成することができる。２次元コードの読取時には、並置混色部分である第２の部分の色はフィルターで取り除き、二値化処理時に第１の部分及び第３の部分を黒に置き換えるように閾値を予め設定しておけば、第１の部分及び第３の部分で構成された黒色部と、第２の部分で構成された白色部で構成された２次元コードとして取り扱うことができる。このような第３の部分を加えることで、２次元コードが形成された位置を第３の部分の緑色で示すことが可能となる。
【００４９】
例えば、第１の部分をブラックの単色部分とし、第２の部分をイエロー、シアン、マゼンタの並置混色部分とし、第３の部分をグリーン、バイオレット、オレンジの並置混色部分として、光学読取情報を構成することができる。この場合、ブラックの部分は赤外光を吸収する一方で、シアン、イエロー、マゼンタ、グリーン、バイオレット、オレンジの６色は赤外光を透過させることから、この光学読取情報は、例えば近赤外線の光源を有するリーダーを用いて読み取ることができる。
【００５０】
〈他の層〉
本発明の光学読取媒体には、随意の他の層を積層させることができる。例えば、光学読取媒体の表面には、摩擦等から光学読取媒体を保護するための保護層を形成することができる。保護層は、例えばマットインキ、耐擦過性インキ、クリアトナー等で構成してよい。
【実施例】
【００５１】
実施例により本発明を具体的に説明するが、本発明は、これらに限定されるものではない。
【００５２】
基材としての上質紙上に、図１に示すような色パターンを、第１の部分をブラックの単色部分とし、かつ第２の部分をシアン、マゼンタ及びイエローの並置混色部分として、４色インクジェットプリンターにて印刷することにより、光学読取媒体を作製した。作製した光学読取媒体は、第１の部分と第２の部分をインクジェットプリンターで単位ドットが６００ｄｐｉで形成し、第１の部分の網点濃度が７０％、第２の部分のシアン、マゼンタ、イエローの網点濃度はそれぞれ、１００％、１００％、７０％となるように設定した。
【００５３】
第１の部分のＬ＊１、ａ＊１及びｂ＊１は、それぞれ５５．９９、０．６９、−２．７３であり、第２の部分のＬ＊２、ａ＊２及びｂ＊２は、それぞれ５４．６４、１．５７、−４．９６であり、第１の部分及び第２の部分の色差ΔＥ＊ａｂの値は、２．７５であった。この色パターンの第１の部分、及び第２の部分は、目視により略同色であると判断できるものであった。なお、第２の部分のＬ＊２、ａ＊２及びｂ＊２は、直接測定できなかったので、この第２の部分と同色であると目視により判断できる色見本を用いて測定したものである。
【００５４】
この光学読取媒体の色パターン部分を、光学顕微鏡に拡大して撮影した。この光学読取媒体の画像を図３に示す。また、図３の画像の右下の部分を更に拡大させた画像を図４に示す。
【００５５】
この光学読取媒体をスキャナーによりスキャンして家庭用プリンターで出力したものを、光学顕微鏡に拡大して撮影した。この画像を図５に示す。
【００５６】
また、この光学読取媒体をカラーコピー機によりコピーして出力したものを、光学顕微鏡に拡大して撮影した。この画像を図６に示す。
【００５７】
図５及び６から、本発明の光学読取媒体をスキャン又はカラーコピーすると、主に並置混色の境界部にブラックが混ざってしまうことが認識されよう。従って、本発明の光学読取媒体は、偽造防止のために有用であることが理解されよう。
【符号の説明】
【００５８】
１０    第１の部分
２０    第２の部分
３０    基材
４０    保護層
５０    光学読取情報
１００    光学読取媒体
【図１】
0006576081.tif 000003
【図２】
0006576081.tif 000004
【図３】
0006576081.tif 000005
【図４】
0006576081.tif 000006
【図５】
0006576081.tif 000007
【図６】
0006576081.tif 000008